(57)【要約】【課題】ボルト杆が傾斜した締め付け用金具およびＬ字形アングル材を組み合わせて柱と横架材の接合部を補強した木材接合部構造を提供する。【解決手段】締め付け用金具４は一端にナット７を螺合させるネジが形成されたボルト杆５の他端に横架材２に当接して固定される平板６が一体に設けられ且つボルト杆５が水平の平板６に対して上側に傾斜しており、Ｌ字形アングル材１４は水平板１２と垂直板１３がＬ字形に一体に形成されており、締め付け用金具１４の平板６が直交する一方の横架材３に当接して固定され、締め付け用金具１４のボルト杆５が直交する他方の横架材２に形成された、ボルト杆５と同じ傾斜を有する貫通孔１１に挿通され、貫通孔１１から突出しているボルト杆５のネジにナット７を螺合させて締め付けられ、Ｌ字形アングル材１４が柱１と横架材２、３に弾性材１７を挟んで当接して固定されている木材接合部構造。【選択図】図１
0003127379.tif 000002
【実用新案登録請求の範囲】
【請求項１】
柱とこの柱に直交して複数の横架材とが接合された接合部を締め付け用金具及びＬ字形アングル材で補強した木材接合部構造において、
締め付け用金具は一端にナットを螺合させるネジ山が形成されたボルト杆の他端に横架材に当接して固定される平板が一体に設けられ且つボルト杆が水平の平板に対して上側に傾斜しており、
前記Ｌ字形アングル材は水平板と垂直板がＬ字形に一体に形成されており、
前記締め付け用金具の平板が直交する一方の横架材に当接して固定され、締め付け用金具のボルト杆が直交する他方の横架材に形成された、ボルト杆と同じ傾斜を有する貫通孔に挿通され、貫通孔から突出しているボルト杆のネジ山にナットが螺合されて締め付けられ、
Ｌ字形アングル材が垂直柱と横架材に弾性材を挟んで当接して固定されていることを特徴とする木材接合部構造。
【請求項２】
Ｌ字形アングル材の水平板と垂直板の間に、水平板と垂直板に直交する補強板が接合されていることを特徴とする請求項１記載の木材接合部構造。
【考案の詳細な説明】
【技術分野】
【０００１】
本考案は、柱に直交して横架材が接続された接合部を締め付け用金具及びアングル材により補強して接合部の耐震強度を向上させる木材接合部構造に関する。
【背景技術】
【０００２】
木造建築において、垂直に立設されている柱と横材となる横架材との接合部を補強するために羽子板ボルト、アングル材、あるいはかすがいなどの補強金物が使用されている。
【０００３】
補強金物のうち羽子板ボルトは、ボルト杆と平板が水平に一体に形成されており、ボルト杆には一端にナットを螺合させるためのネジ山が形成され、ボルト杆の他端にボルトあるいはスクリューボルトを通す孔が形成された平板が固定され、一体化されている（特許文献１参照）。
【０００４】
図５（ａ）は従来の羽子板ボルトの一使用例を示す側面図、（ｂ）は同正面図である。
【０００５】
図５において、柱１に適当な仕口構造で接合されている横架材２との接合部に羽子板ボルト１８を使用する場合、柱１に形成された貫通孔１９に羽子板ボルト１８のボルト杆５を水平に通し、平板６を柱１に当接させてスクリューネジ又はボルト９で固定するとともに、横架材２の貫通孔１９から突出しているボルト杆５のネジ山８に座金７ａを介してナット７を螺合させて締め付けて柱１と横架材２を連結する。
【０００６】
図６は従来のＬ字形アングル材の使用例を示す図である。
【０００７】
補強金物のうち、Ｌ字形アングル材１４は、直角に曲げられた水平板１２と垂直板１３からなり、柱１と横架材２を連結するために、水平板１２と垂直板１３にスクリューネジあるいはボルト９を通す孔（図示せず）が形成されている（特許文献２参照）。
【０００８】
柱１と横架材２にＬ字形アングル材１４の水平板１２と垂直板１３を当接させ、スクリューネジ又はボルト９を水平板１２と垂直板１３の孔に通して固定することにより柱１と横架材２を連結する。
【特許文献１】特開２００２−１３２０６号公報
【特許文献２】特開平１１−１９６１号公報
【考案の開示】
【考案が解決しようとする課題】
【０００９】
従来の羽子板ボルトの固定方法は、横架材にボルトと平板とを水平に配置して締め付けるので、横架材に水平方向の締め付け力しか作用しないため、柱に二方以上に横架材を接合する場合には、横架材どうしの補強が十分でない場合があった。
【００１０】
また、Ｌ字形アングル材についても、羽子板ボルトと同様に、単独では接合部の補強が十分でない場合があった。
【００１１】
そこで、本考案は、平板に対して傾斜したボルト杆を備えた締め付け用金具およびＬ字形アングル材を組み合わせて柱と横架材とを強固に締め付けて接合部の強度を向上させた木材接合部構造を提供するものである。
【課題を解決するための手段】
【００１２】
本考案は、柱とこの柱に直交して複数の横架材とが接合された接合部を締め付け用金具及びＬ字形アングル材で補強した木材接合部構造において、締め付け用金具は一端にナットを螺合させるネジ山が形成されたボルト杆の他端に横架材に当接して固定される平板が一体に設けられ且つボルト杆が水平の平板に対して上側に傾斜しており、前記Ｌ字形アングル材は水平板と垂直板がＬ字形に一体に形成されており、前記締め付け用金具の平板が直交する一方の横架材に当接して固定され、締め付け用金具のボルト杆が直交する他方の横架材に形成された、ボルト杆と同じ傾斜を有する貫通孔に挿通され、貫通孔から突出しているボルト杆のネジ山にナットが螺合されて締め付けられ、Ｌ字形アングル材が垂直柱と横架材に弾性材を挟んで当接して固定されていることを特徴とする。
【考案の効果】
【００１３】
本考案は、横架材どうしをボルト杆が傾斜した締め付け用金具により固定されて横架材が柱に強固に締め付けられ、この締め付けにより耐震性を高めることができる。また、柱と横架材にＬ字形アングル材が弾性材を介して固定されることによって、弛みを抑えて揺れに強くなるので、耐震性を高めることができる。
【考案を実施するための最良の形態】
【００１４】
本考案の一実施例について図面を参照して説明する。
【実施例１】
【００１５】
図１は本考案による木材接合部構造の第１実施例を示す図、図２は本考案で使用する締め付け用金具の斜視図、図３は本考案で使用するＬ字形アングル材の斜視図である。
【００１６】
直立する柱１に直交して２本の横架材２、３が予め適当な仕口構造により２面胴差で接合される。
【００１７】
図２において、締め付け用金具４は、ボルト杆５の一端に平板６が一体に連設されており、ボルト杆５の他端には座金７ａ及び弛み止めのスプリングワッシャー７ｂを挟んでナット７を螺合させるネジ山８が形成されている。平板６には横架材２に固定するためにスクリューネジ又はボルト９を通す孔１０が形成されている。
【００１８】
本考案で使用する締め付け用金具４は、ボルト杆５が水平状態の平板６より上向に傾斜した状態で延びており、ボルト杆５が横架材２にボルト杆５の傾斜角度と同じ傾斜角度で斜め方向に形成された貫通孔１１に挿入されて座金７ａ、スプリングワッシャー７ｂを介してナット７で締め付けられる。平板６に対して傾斜したボルト杆５により２本の横架材２、３が柱１に寄せられて締め付け強度が増加して耐震強度を高めることができる。締め付け用金具４のボルト杆５の傾斜は、貫通孔１１が形成された横架材２、３を柱１に押し付けることができる角度であり、水平の平板６からボルト杆５の軸線の高さＨ（図１）が貫通孔１１の開口部で３〜７ｃｍ上方に位置する傾斜角度にする。
【００１９】
柱１と横架材２、３に、図３に示すように、Ｌ字形で一体となった水平板１２と垂直板１３からなるＬ字形アングル材１４を当接させ、スクリューネジ又はボルト９を水平板１２と垂直板１３に形成された孔１５に通して固定する。なお、スクリューネジ又はボルト９の固定は、弛み止めのためにスプリングワッシャーを介して行うことが好ましい。
【００２０】
Ｌ字形アングル材１４は剛性を持たせるために、水平板１２と垂直板１３に直交して補強板１６を一体に接合しもよい。なお、垂直板１３には、図３（ａ）に示すように、スクリューネジあるいはボルト９を通す孔１５を一個、あるいは図３（ｂ）に示すように２個以上設けて柱に強固に固定できるようにしてもよい。
【００２１】
Ｌ字形アングル材１４の水平板１２及び垂直板１３は柱の表面との間に弾性を有する弾性材として、例えば弾性を有するワッシャー１７を挟んで締め付ける。弾性を有するワッシャー、例えば、凸型のスプリングワッシャー１７を使用することにより、地震などによる揺れに対してＬ字形アングル材１４が緩むのを防ぐことができる。
【００２２】
本実施例では、一方の横架材２に形成された傾斜した貫通孔１１に締め付け用金具４の傾斜したボルト杆５を通して横架材２、３が柱に締め付けられ、Ｌ字形アングル材１４を横架材２、３と柱１に弾性を有するスプリングワッシャー１７を介して固定して揺れに対して弛みが抑えられるので、接合部を強固に補強することができる。その結果、耐震性を高めることができる。
【実施例２】
【００２３】
図４は本考案による木材接合部構造の第２実施例を示す図である。
【００２４】
本実施例は、４本の横架材２、２ａ、３、３ａを柱１に接合した４面胴差の例を示すものである。本実施例においても、実施例１と同様に、直交する横架材２と横架材３、横架材２ａと横架材３ａを平板６と傾斜ボルト５からなる締め付け用金具４で柱１に寄せて締め付け、さらにＬ字形アングル材４を柱１と横架材２、２ａに固定する。Ｌ字形アングル材４は横架材の負荷により適宜配置する。
【００２５】
本実施例においても、実施例１と同様に、締め付け用金具とＬ字形アングル材により接合部を強固に補強できるので、耐震性を高めることができる。
【図面の簡単な説明】
【００２６】
【図１】本考案による木材接合部構造の第１実施例を示す図である。
【図２】本考案で使用する締め付け用金具の斜視図である。
【図３】本考案で使用するアングル材の斜視図である。
【図４】本考案による木材接合部構造の第２実施例を示す図である。
【図５】（ａ）は従来の締め付け用金具の一使用例を示す側面図、（ｂ）は同正面図である。
【図６】従来のＬ字形アングル材の使用例を示す図である。
【符号の説明】
【００２７】
１：柱                          ２：横架材
３：横架材                      ４：締め付け用金具
５：ボルト杆                    ６：平板
７：ナット                      ８：ネジ
９：スクリューネジ（又はボルト）１０：孔
１１：貫通孔                      １２：水平板
１３：垂直板                      １４：Ｌ字形アングル材
１５：孔                          １６：補強板
１７：ワッシャー                  １８：締め付け用金具
１９：貫通孔
【図１】
0003127379.tif 000003
【図２】
0003127379.tif 000004
【図３】
0003127379.tif 000005
【図４】
0003127379.tif 000006
【図５】
0003127379.tif 000007
【図６】
0003127379.tif 000008